(57)【特許請求の範囲】
【請求項１】
沈胴位置と撮影位置の間を光軸方向に移動可能なレンズユニットを備えるレンズ鏡筒であって、
外周部に第１突起部を有し、前記レンズユニットと係合した状態で回転可能に、かつ光軸方向に移動可能に設けられて、回転することにより前記レンズユニットを光軸方向に移動させるカム筒と、
前記カム筒の外周側に回転規制された状態で光軸方向に移動可能に設けられ、前記第１突起部が貫通する貫通カム溝を有する直進筒と、
前記直進筒の外周側で光軸方向の移動が規制された状態で回転駆動され、前記第１突起部と係合する直進溝が光軸方向に沿って設けられた回転筒と、を備え、
前記回転筒の内周部には、前記直進溝を間に挟んで周方向の両側にそれぞれ第２突起部が設けられ、
前記直進筒の外周部には、前記周方向の両側に設けられた前記第２突起部がそれぞれ係合する周溝が周方向に沿って設けられ、
前記カム筒の外周部には、前記直進筒の内周部に設けられたカム溝に係合するフォロアが設けられ、
前記周溝の溝底面と前記カム溝の溝底面が交差する地点で、前記周溝の溝底面と前記カム溝の溝底面の光軸からの距離は、略同一に設定されていることを特徴とするレンズ鏡筒。
【請求項２】
前記直進筒の外周部には、前記第２突起部を前記周溝に導入する導入溝が光軸方向に沿って設けられていることを特徴とする請求項１に記載のレンズ鏡筒。
【請求項３】
前記周溝と前記貫通カム溝との交差部の少なくとも一つが前記導入溝に連通していることを特徴とする請求項２記載のレンズ鏡筒。
【請求項４】
請求項１乃至３のいずれか一項に記載のレンズ鏡筒を備えることを特徴とする撮像装置。
【発明の詳細な説明】
【技術分野】
【０００１】
本発明は、例えばフィルムカメラやデジタルカメラ等の撮像装置に設けられるレンズ鏡筒、及びレンズ鏡筒を備える撮像装置に関する。
【背景技術】
【０００２】
デジタルカメラ等に設けられるレンズ鏡筒として、複数のレンズをそれぞれ保持する複数のレンズ保持枠をカム筒の回転により光軸方向に移動させつつ、直進筒によりレンズ保持枠の回転を規制してレンズを所定の位置に移動させるズーム機構を備えるものがある。
【０００３】
ところで、近年の撮影倍率の高倍率化の要請に伴ってレンズの数が増加し、繰出し全長が長くなる傾向にある。そのため、落下等の外力に対するレンズ鏡筒の強度を確保することが重要になる。従来、鏡筒内部の直進筒の外周部に複数の静圧突起部を設けることにより鏡筒の強度を確保する技術が提案されている（特許文献１）。
【先行技術文献】
【特許文献】
【０００４】
【特許文献１】特開２０１３−１５６５６２号公報
【発明の概要】
【発明が解決しようとする課題】
【０００５】
しかし、上記特許文献１では、直進筒の外周部に設けた静圧突起部と係合する溝部を第２のカム筒に設けており、また、第２のカム筒には、溝部よりも深い位置に、第１のカム筒を駆動するための直進溝を設けている。そのため、第２のカム筒は、静圧突起部と係合する溝部と第１のカム筒を駆動するための直進溝のそれぞれの厚みが必要となり、鏡筒の小型化を妨げる原因になる。また、静圧突起部と第２のカム筒の溝部との位置関係がズーム位置によって変化するため、外力に対するレンズ鏡筒の強度を安定して確保することが難しい。
【０００６】
そこで、本発明は、レンズ鏡筒の小型化を妨げることなく、外力に対するレンズ鏡筒の強度を安定して確保することができる技術を提供することを目的とする。
【課題を解決するための手段】
【０００７】
上記目的を達成するために、本発明は、沈胴位置と撮影位置の間を光軸方向に移動可能なレンズユニットを備えるレンズ鏡筒であって、外周部に第１突起部を有し、前記レンズユニットと係合した状態で回転可能に、かつ光軸方向に移動可能に設けられて、回転することにより前記レンズユニットを光軸方向に移動させるカム筒と、前記カム筒の外周側に回転規制された状態で光軸方向に移動可能に設けられ、前記第１突起部が貫通する貫通カム溝を有する直進筒と、前記直進筒の外周側で光軸方向の移動が規制された状態で回転駆動され、前記第１突起部と係合する直進溝が光軸方向に沿って設けられた回転筒と、を備え、前記回転筒の内周部には、前記直進溝を間に挟んで周方向の両側にそれぞれ第２突起部が設けられ、前記直進筒の外周部には、前記周方向の両側に設けられた前記第２突起部がそれぞれ係合する周溝が周方向に沿って設けられ、前記カム筒の外周部には、前記直進筒の内周部に設けられたカム溝に係合するフォロアが設けられ、前記周溝の溝底面と前記カム溝の溝底面が交差する地点で、前記周溝の溝底面と前記カム溝の溝底面の光軸からの距離は、略同一に設定されている。
【発明の効果】
【０００８】
本発明によれば、レンズ鏡筒の小型化を妨げることなく、外力に対するレンズ鏡筒の強度を安定して確保することができる。
【図面の簡単な説明】
【０００９】
【図１】（ａ）は本発明のレンズ鏡筒を備える撮像装置の実施形態の一例であるデジタルカメラを正面側から見た外観斜視図、（ｂ）は（ａ）に示すデジタルカメラを背面側から見た図である。
【図２】図１に示すデジタルカメラの制御ブロック図である。
【図３】レンズ鏡筒の収納位置での断面図である。
【図４】レンズ鏡筒の撮影位置での断面図である。
【図５】レンズ鏡筒の分解斜視図である。
【図６】（ａ）は回転筒を光軸方向から見た図、（ｂ）は（ａ）のＡ−Ａ線断面図である。レンズ鏡筒の収納位置での状態を示す断面図である。
【図７】（ａ）は外直進筒の側面図、（ｂ）は外直進筒を光軸方向から見た図、（ｃ）は（ｂ）のＢ−Ｂ線断面図である。
【図８】（ａ）は回転筒、外直進筒、及び内カム筒の関係を説明する斜視図、（ｂ）は回転筒、外直進筒、及び内カム筒の関係を説明する要部断面図である。
【図９】図８（ｂ）に示す本発明例と比較する従来例を説明するための要部断面図である。
【発明を実施するための形態】
【００１０】
以下、図面を参照して、本発明の実施形態の一例を説明する。
【００１１】
図１（ａ）は本発明のレンズ鏡筒を備える撮像装置の実施形態の一例であるデジタルカメラを正面側から見た外観斜視図、図１（ｂ）は図１（ａ）に示すデジタルカメラを背面側から見た図である。
【００１２】
図１（ａ）に示すように、本実施形態のデジタルカメラ１８は、正面側に、被写体の構図を決めるファインダ１６、測光測距を行う場合の補助光源１５、ストロボユニット１７、及びレンズ鏡筒１９が設けられている。レンズ鏡筒１９は、撮影光学系を構成する複数のレンズを収納位置と撮影位置との間で光軸方向に移動させて撮影倍率を変更するズーム機構を備える。デジタルカメラ１８の上面側には、レリーズボタン１２、電源切換えボタン１４、及びズームスイッチ１３が設けられている。
【００１３】
また、図１（ｂ）に示すように、デジタルカメラ１８の背面側には、操作ボタン２２〜２７、ＬＣＤ等のディスプレイ２１、及びファインダ接眼部２０が設けられる。なお、図示は省略するが、デジタルカメラ１８の底面には、三脚取付部、メモリカードドライブ４２（図２参照）及びバッテリー挿入部のカバーが設けられている。
【００１４】
図２は、図１に示すデジタルカメラ１８の制御ブロック図である。バス４４には、ＣＰＵ４６、ＲＯＭ４５、ＲＡＭ４７、レリーズボタン１２、操作ボタン２２〜２７、ディスプレイ２１、電源切換えボタン１４、ズームスイッチ１３、メモリ４０、圧縮伸張部４１、メモリカードドライブ４２及び駆動回路４３が接続されている。
【００１５】
駆動回路４３には、レンズ鏡筒１９をズーム駆動するズーム機構９５、フォーカスレンズ８１を駆動するフォーカス駆動機構３１、シャッタユニット６６を駆動するシャッタ駆動機構３２、及び絞り３６を駆動する絞り駆動機構３４が接続されている。また、駆動回路４３には、ＣＣＤセンサやＣＭＯＳセンサ等の撮像素子８及びストロボユニット１７が接続されている。駆動回路４３に接続された各ユニットは、ＣＰＵ４６からの信号に基づいて駆動回路４３を介して駆動が制御される。
【００１６】
ＲＯＭ４５には、各種制御プログラム等が記憶され、ＲＡＭ４７には、各種制御プログラムに必要なデータが記憶されている。アナログ信号処理部３７は、撮像素子８から出力された画像データにアナログ処理を施し、Ａ／Ｄ変換部３８に出力する。Ａ／Ｄ変換部３８は、撮像素子８から取り込んだアナログデータをデジタルデータに変換して、デジタル信号処理部３９に出力する。
【００１７】
デジタル信号処理部３９は、Ａ／Ｄ変換部３８で変換されたデジタルデータに対して所定の処理を行い、画像データとしてメモリ４０に出力する。メモリ４０に記憶された画像データは、操作ボタン２３の操作によって圧縮伸張部４１によりＪＰＥＧやＴＩＦＦ等の圧縮処理等が施された後、メモリカードドライブ４２に装着されたメモリカードに出力されて記憶される。
【００１８】
また、メモリ４０に記憶された画像データやメモリカードに記憶された画像データを圧縮伸張部４１によって伸張処理を行い、その後、バス４４を介してディスプレイ２１に表示させることができる。ディスプレイ２１に表示された画像をユーザが見て不要と判断した場合は、操作ボタン２４の操作によって消去することができる。
【００１９】
次に、図３乃至図９を参照して、レンズ鏡筒１９について説明する。図３は、レンズ鏡筒１９の収納位置での断面図である。図４は、レンズ鏡筒１９の撮影位置での断面図である。図５は、レンズ鏡筒１９の分解斜視図である。
【００２０】
デジタルカメラ１８の電源切換えボタン１４がオフ操作されると、レンズ鏡筒１９の繰り込み動作が行われ、レンズ鏡筒１９は、撮影位置（図４）から沈胴位置（図３）へと光軸方向に移動する。
【００２１】
図３乃至図５に示すように、レンズ鏡筒１９は、１群レンズ５１を保持する１群ホルダ５と、１群ホルダ５２を保持する１群筒５３、及び２群レンズ６１を保持する２群ホルダ６２を備える。また、レンズ鏡筒１９は、３群レンズ７１ａ，７１ｂを保持する３群ホルダ７２、４群レンズ８１を保持する４群ホルダ８２、及び５群レンズ９１を保持するセンサホルダ９２を備える。
【００２２】
１群レンズ５１、１群ホルダ５２及び１群筒５３は、１群レンズユニットを構成し、２群レンズ６１及び２群ホルダ６２は、２群レンズユニットを構成し、３群レンズ７１ａ，７１ｂ、３群ホルダ７２、及び３群筒７３は、３群レンズユニットを構成する。また、４群レンズ８１及び４群ホルダ８２は、４群レンズユニットを構成し、５群レンズ９１及びセンサホルダ９２は、５群レンズユニットを構成する。１群レンズ５１、２群レンズ６１、３群レンズ７１ａ，７１ｂ、４群レンズ８１及び５群レンズ９１によって、レンズ鏡筒１９の撮影光学系が構成されている。なお、本実施形態では、４群レンズ８１は、フォーカスレンズを構成している。
【００２３】
２群レンズユニットと３群レンズユニットの間には、シャッタ駆動機構３２により駆動されるシャッタユニット６６が設けられている。シャッタユニット６６は、一対のシャッタ羽根（不図示）が光軸に直交する面内で光路を遮光する位置と光路から退避する位置との間で移動することで、撮像素子８に結像する被写体光束を調整する。
【００２４】
センサホルダ９２は、フォーカス駆動機構３１（図２参照）及びズーム機構９５を支持する。フォーカス駆動機構３１により４群レンズ８１を保持する４群ホルダ８２を光軸方向に進退させることでフォーカス動作を行い、ズーム機構９５により、１群レンズユニットから３群レンズユニットを光軸方向に進退させることでズーム動作を行う。
【００２５】
次に、図３乃至図７を参照して、ズーム機構９５について説明する。図６（ａ）は回転筒１０１を光軸方向から見た図、図６（ｂ）は図６（ａ）のＡ−Ａ線断面図である。図７（ａ）は外直進筒１０２の側面図、図７（ｂ）は外直進筒１０２を光軸方向から見た図、図７（ｃ）は図７（ｂ）のＢ−Ｂ線断面図である。
【００２６】
図３乃至図５に示すように、レンズ鏡筒１９の最外周側には、固定筒１００が設けられ、固定筒１００の内周側には、ズーム機構９５により回転駆動される回転筒１０１が設けられ、回転筒１０１の内周側には、外直進筒１０２が設けられている。また、外直進筒１０２の内周側には、内カムカバー１０３が設けられ、内カムカバー１０３の内周側には、内カム筒１０４が設けられ、内カム筒１０４の内周側には、直進筒１０５が相対回転可能に保持されている。
【００２７】
固定筒１００の内周部には、カム溝１００ａ及び直進キー溝１００ｂがそれぞれ周方向に略等間隔で３箇所形成されている。
【００２８】
回転筒１０１の外周部には、図６（ａ）に示すように、固定筒１００のカム溝１００ａに係合するフォロア１０１ａが周方向に略等間隔で３箇所形成されている。回転筒１０１は、ズーム機構９５により回転駆動されることで、固定筒１００に対して回転しながらカム溝１００ａのリフトに沿って光軸方向に移動する。
【００２９】
回転筒１０１の内周部には、図６（ｂ）に示すように、静圧突起部１０１ｂ，１０１ｃ，１０１ｄ，１０１ｅ，１０１ｋが周方向に略等間隔で３箇所ずつ形成されている。また、回転筒１０１の内周部には、バヨネット溝１０１ｈが周方向に沿って形成されている。静圧突起部１０１ｂ，１０１ｃ，１０１ｄ，１０１ｅ，１０１ｋは、本発明の第２突起部の一例に相当する。
【００３０】
外直進筒１０２の外周部には、図７（ａ）に示すように、円周溝１０２ｂ，１０２ｃ、直進キー１０２ｅ、貫通カム溝１０２ｋ及びバヨネット爪１０２ｄが形成されている。外直進筒１０２の内周部には、図７（ｃ）に示すように、カム溝１０２ｊ及び直進キー溝１０２ａが形成されている。
【００３１】
円周溝１０２ｂ，１０２ｃは、回転筒１０１の静圧突起部１０１ｂ，１０１ｃ，１０１ｄ, １０１ｅ，１０１ｋと係合し、直進キー１０２ｅは、固定筒１００の直進キー溝１００ｂと係合し、貫通カム溝１０２ｋは、カム溝１０２ｊと同一のリフトを有する。バヨネット爪１０２ｄは、周方向に略等間隔で３箇所形成され、回転筒１０１のバヨネット溝１０１ｈと係合する。外直進筒１０２は、回転筒１０１の回転に伴って、固定筒１００の直進キー溝１００ｂに沿って光軸方向に直進移動する。
【００３２】
内カム筒１０４の内周部には、図３及び図４に示すように、２群カム溝１０４ｃ、シャッタカム溝１０４ｂ及び３群カム溝１０４ｄがそれぞれ周方向に略等間隔で３箇所形成されている。内カム筒１０４の外周部には、１群カム溝１０４ｃが周方向に略等間隔で３箇所形成されている。また、内カム筒１０４の外周部には、フォロア１０４ｆ、及び駆動キー１０４ｈ（図９参照）がそれぞれ周方向に略等間隔で３箇所形成されている。内カム筒１０４のフォロア１０４ｆは、外直進筒１０２のカム溝１０２ｊと係合している。
【００３３】
内カムカバー１０３には、内カム筒１０４の係合部（不図示）と係合する３本の係合爪（不図示）と、内カム筒１０４の駆動キー１０４ｈと係合する３箇所の回り止め部（不図示）が形成されている。内カム筒１０４の駆動キー１０４ｈは、貫通カム溝１０２ｋと所定の隙間を有して貫通するとともに、回転筒１０１の内周部に設けられた３本のキー溝１０１ｊと係合している。駆動キー１０４ｈは、本発明の第１突起部の一例に相当し、キー溝１０１ｊは、本発明の直進溝の一例に相当する。
【００３４】
これにより、内カム筒１０４は、回転筒１０１と同位相で光軸周りに回転し、内カム筒１０４の回転に伴って、内カムカバー１０３は、内カム筒１０４と一体的に回転しながらカム溝１０２ｊのリフトに沿って光軸方向に移動する。
【００３５】
直進筒１０５には、直進プレート１０６が一体に取り付けられている。直進プレート１０６には、外直進筒１０２の内周部に設けられた直進キー溝１０２ａと係合する直進キー（不図示）が形成されている。また、直進筒１０５には、１群ガイドキー１０５ｂ、２群ガイド溝（不図示）及び３群ガイド溝１０５ｄが形成されている。直進筒１０５は、内カム筒１０４に対して回転規制された状態で保持され、光軸方向に内カム筒１０４と一体に移動する。
【００３６】
内カム筒１０４の外周部に設けられた６箇所の１群カム溝１０４ｄには、１群筒５３の内周部に設けられた１群フォロア（不図示）が係合する。これにより、１群筒５３は、直進筒１０５の１群ガイドキー１０５ｂにガイドされることで、１群ホルダ５２と一体的に光軸方向に移動する。
【００３７】
内カム筒１０４の内周部に設けられた３箇所の２群カム溝（不図示）には、２群ホルダ６２の外周部に設けられた３箇所の２群フォロア６２ａ（図５参照）がそれぞれ係合する。２群ホルダ６２は、直進筒１０５の２群ガイド溝（不図示）にガイドされることにより、光軸方向に移動可能に支持される。
【００３８】
内カム筒１０４の内周部に設けられた３箇所のシャッタカム溝１０４ｂには、シャッタユニット６６の外周部に設けられた３箇所のシャッタフォロア６６ａがそれぞれ係合する。シャッタユニット６６は、直進筒１０５の３群ガイド溝１０５ｄにガイドされることにより、光軸方向に移動可能に支持される。
【００３９】
内カム筒１０４の内周部に設けられた３箇所の３群カム溝１０４ｄには、３群筒７３の外周部に設けられた３箇所の３群フォロア７３ａがそれぞれ係合する。３群レンズユニットは、直進筒１０５の３群ガイド溝１０５ｄにガイドされることにより、光軸方向に移動可能に支持される。
【００４０】
次に、図８を参照して、回転筒１０１、外直進筒１０２、及び内カム筒１０４の関係について説明する。図８（ａ）は回転筒１０１、外直進筒１０２、及び内カム筒１０４の関係を説明する斜視図、図８（ｂ）は回転筒１０１、外直進筒１０２、及び内カム筒１０４の関係を説明する要部断面図である。
【００４１】
図８に示すように、回転筒１０１と外直進筒１０２は、バヨネット溝１０１ｈとバヨネット爪１０２ｄとの係合によって光軸方向の位置規制がされている。バヨネット爪１０２ｄの正面側の面は、光軸と直交する面に対して傾斜するフランク面１０２ｇとなっている。バヨネット溝１０１ｈの正面側の面も同様に、フランク面１０２ｇに対応して傾斜するフランク面１０１ｇとなっている。
【００４２】
バヨネット爪１０２ｄの背面側の面は、光軸と直交する位置規制面１０２ｆとなっている。また、バヨネット溝１０１ｈの背面側の面も同様に、光軸と直交する位置規制面１０１ｆとなっている。バヨネット溝１０１ｈのフランク面１０１ｇ及び位置規制面１０１ｆにそれぞれバヨネット爪１０２ｄのフランク面１０２ｇ及び位置規制面１０２ｆが当接することにより、光軸方向と光軸に対して直交する方向の位置規制がされる。また、位置規制面１０１ｆ，１０２ｆが光軸に対して直交しているため、正面側からの外力に対して回転筒１０１から外直進筒１０２が脱落し難くなっている。
【００４３】
さらに、外力に対しての強度を確保する構造として、回転筒１０１の静圧突起部１０１ｂ，１０１ｃ，１０１ｋ及び静圧突起部１０１ｄ，１０１ｅがそれぞれ外直進筒１０２の円周溝１０２ｂ及び円周溝１０２ｃに係合している。図６（ｂ）に示すように、静圧突起部１０１ｂ，１０１ｄは光軸方向に並んで配置され、静圧突起部１０１ｃ，１０１ｅは、静圧突起部１０１ｂ，１０１ｄに対して周方向に離間した位置で光軸方向に並んで配置されている。また、静圧突起部１０１ｂと静圧突起部１０１ｃは、キー溝１０１ｊを間に挟んで周方向の両側に配置され、静圧突起部１０１ｄと静圧突起部１０１ｅも同様に、キー溝１０１ｊを間に挟んで周方向の両側に配置されている。
【００４４】
内カム筒１０４と回転筒１０１は、同位相で光軸を中心に回転するため、図８（ａ）に示すように、キー溝１０１ｊに係合する駆動キー１０４ｈは、静圧突起部１０１ｂ，１０１ｃ，１０１ｄ，１０１ｅに対して光軸方向の位置関係のみを変化させながら移動する。したがって、内カム筒１０４にどの回転位置で外力を加えても、駆動キー１０４ｈの周方向の両側を静圧突起部１０１ｂ，１０１ｃ，１０１ｄ，１０１ｅと外直進筒１０２の円周溝１０２ｂ，１０２ｃとの係合によって保持することができる。そのため、外力に対するレンズ鏡筒１９の強度を安定して確保することができる。
【００４５】
また、図７（ａ）に示すように、外直進筒１０２の外周部には、回転筒１０１の静圧突起部１０１ｂ，１０１ｃ，１０１ｄ，１０１ｅ，１０１ｋを円周溝１０２ｂ，１０２ｃへ導入するための導入溝１０２ｐ，１０２ｑ，１０２ｒが形成されている。静圧突起部１０１ｂ，１０１ｄは、導入溝１０２ｐから導入され、静圧突起部１０１ｃ，１０１ｅは、導入溝１０２ｐから導入され、静圧突起部１０１ｋは、導入溝１０２ｒから導入される。
【００４６】
円周溝１０２ｂ，１０２ｃは、導入溝１０２ｐ，１０２ｑ，１０２ｒによって正面側（図７（ａ）の右側）が開放されるため、開放部分に静圧突起部１０１ｂ，１０１ｃ，１０１ｄ，１０１ｅ，１０１ｋが同時に重なると、外力に対する強度が確保できない。そのため静圧突起部１０１ｂ，１０１ｃ，１０１ｄ，１０１ｅ，１０１ｋが同時に重なる領域は、外直進筒１０２に回転筒１０１を導入するときだけに設定されている。
【００４７】
さらに、導入溝１０２ｒは、貫通カム溝１０２ｋと円周溝１０２ｂとが交差する交差部１０２ｍに連通している。交差部１０２ｍは、貫通カム溝１０２ｋと円周溝１０２ｂが交差することによって円周溝１０２ｂの正面側が開放されているため、交差部１０２ｍによって新たに開放される箇所が増加しない。これにより、外力に対する強度を低下させることなく、静圧突起部１０１ｋを配置することができる。
【００４８】
図９は、図８（ｂ）に示す本発明例と比較する従来例を説明するための要部断面図である。なお、説明の便宜上、図８（ｂ）に示す本発明例に対応する部分については、同一符号を付している。
【００４９】
図９に示す従来例では、回転筒１０１の内周部には、円周溝１０１ｍが設けられ、外直進筒１０２の外周部には、静圧突起部１０２ｍが設けられている。回転筒１０１の内周部には、キー溝１０１ｊも設けられているため、円周溝１０１ｍの深さであるＸとキー溝１０１ｊと駆動キー１０４ｈの掛かり量であるＹが必要となる。
【００５０】
これに対し、図８（ｂ）に示す本発明例では、外直進筒１０２の外周部に円周溝１０２ｂ，１０２ｃが設けられているため、円周溝１０１ｍの深さＸが不要となり、小型化が可能となる。また、円周溝１０２ｂ，１０２ｃの溝底面１０２ｔとカム溝１０２ｊの溝底面１０２ｕの光軸からの距離を略同一に設定することにより、外直進筒１０２の外径を小さくすることができる。なお、図７（ａ）及び図８（ａ）に示す底穴１０２ｓは溝底面１０２ｔと溝底面１０２ｕが交差することで形成される穴であるが、溝底面１０２ｔと溝底面１０２ｕは、光軸からの距離が略同一の為、回転筒１０１と外直進筒１０２の動作に影響を与えることはない。
【００５１】
以上説明したように、本実施形態では、レンズ鏡筒１９の小型化を妨げることなく、外力に対するレンズ鏡筒１９の強度を安定して確保することができる。
【００５２】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５３】
１９ レンズ鏡筒
１０１  回転筒
１０１ｂ〜１０１ｅ  静圧突起部
１０１ｊ  キー溝
１０１ｋ  静圧突起部
１０２  外直進筒
１０２ｂ，１０２ｃ  円周溝
１０４  内カム筒
１０４ｈ  駆動キー
【図１】
0006750844.tif 000002
【図２】
0006750844.tif 000003
【図３】
0006750844.tif 000004
【図４】
0006750844.tif 000005
【図５】
0006750844.tif 000006
【図６】
0006750844.tif 000007
【図７】
0006750844.tif 000008
【図８】
0006750844.tif 000009
【図９】
0006750844.tif 000010